(57)【特許請求の範囲】
【請求項１】
複数の表示部と、
制御部と、
を備え、
前記表示部のそれぞれは、複数の走査線と複数のデータ線とが交差する各交差位置に対応して配置される複数の画素を有し、
前記複数の画素の各々は、走査線が選択されてから次に当該走査線が選択されるまでの期間において電源線から所定の周期で入力する電流により発光する発光素子を有し、
前記制御部は、前記期間における前記電源線から前記発光素子への電流の入力回数及び前記所定の周期毎における前記電源線から前記発光素子への電流の入力時間の一方が互いに異なる表示部において互いに連動して変化し、他方が互いに異なる表示部において互いに独立して変化するように前記表示部を制御する
ことを特徴とする電気光学装置。
【請求項２】
前記表示部は一対とされ、
一方の表示部は人の一方の眼で視認され、他方の表示部は人の他方の眼で視認される
ことを特徴とする請求項１に記載の電気光学装置。
【請求項３】
前記表示部は互いに異なる色の光を発光し、それぞれの前記表示部から出射する光が互いに重ね合わされる
ことを特徴とする請求項１に記載の電気光学装置。
【請求項４】
制御部は、互いに異なる表示部において、前記期間における前記電源線から前記発光素子への電流の入力回数が互い連動して変化し、前記所定の周期毎における前記電源線から前記発光素子への電流の入力時間が互いに独立して変化するように前記表示部を制御する
ことを特徴とする請求項２または３に記載の電気光学装置。
【請求項５】
前記所定の周期は、それぞれの走査線が順次選択される周期とされる
ことを特徴とする請求項１に記載の電気光学装置。
【請求項６】
複数の表示部と、
制御部と、
を備える電気光学装置の制御方法であって、
前記表示部のそれぞれは、複数の走査線と複数のデータ線とが交差する各交差位置に対応して配置される複数の画素を有し、
前記複数の画素の各々は、走査線が選択されてから次に当該走査線が選択されるまでの期間において電源線から所定の周期で入力する電流により発光する発光素子を有し、
前記制御部は、前記期間における前記電源線から前記発光素子への電流の入力回数及び前記所定の周期毎における前記電源線から前記発光素子への電流の入力時間の一方が互いに異なる表示部において互いに連動して変化し、他方が互いに異なる表示部において互いに独立して変化するように前記表示部を制御する
ことを特徴とする電気光学装置の制御方法。
【発明の詳細な説明】
【技術分野】
【０００１】
本発明は、電気光学装置、及び、電気光学装置の制御方法に関する。
【背景技術】
【０００２】
有機ＥＬ素子（ＯＬＥＤ：Organic Light-Emitting Diode）をマトリックス状に備えた有機ＥＬ表示装置は、携帯用電子機器やテレビなどに採用され商品化されている。有機ＥＬ素子は、アノードおよびカソード間に有機ＥＬ層が形成され、アノード、カソード間を流れる電流により発光する。
【０００３】
下記特許文献１には、ヘッドマウントディスプレイが記載されている。このヘッドマウントディスプレイでは、左眼用の画像表示装置と右眼用の画像表示装置とを備えており、これら画像表示装置に有機ＥＬ表示装置を用いることができる。また、下記特許文献２には、左眼用、右眼用の画像表示装置として液晶ディスプレイを用いたヘッドマウントディスプレイが記載されている。このヘッドマウントディスプレイでは、ユーザーが左右の液晶ディスプレイの輝度に差を感じる場合に右眼用の液晶ディスプレイの調光操作手段と左眼用の液晶ディスプレイの調光操作手段とを操作して、右眼用の液晶ディスプレイと左眼用の液晶ディスプレイのとの輝度バランスをとることができる。
【先行技術文献】
【特許文献】
【０００４】
【特許文献１】特開２０１４−１８６２０１号公報
【特許文献２】特開２０００−１３７１５号公報
【発明の概要】
【発明が解決しようとする課題】
【０００５】
上記特許文献１及び特許文献２から、ヘッドマウントディスプレイの画像表示装置として有機ＥＬ表示装置が用いられる場合であっても、左眼用の有機ＥＬ表示装置と右眼用の有機ＥＬ表示装置との輝度バランスを調整することが考えられる。しかし、上記特許文献２では、左右の液晶ディスプレイの輝度バランスを調整することはできるが、左右の液晶ディスプレイの輝度バランスを保ちつつ、両方の液晶ディスプレイの輝度を調整することは出来ない。つまり、このヘッドマウントディスプレイでは、輝度バランスの調整はできるが、いわゆる全体明るさの調整ができない。
【０００６】
このように複数の表示部を有する電気光学装置において、それぞれの表示部の輝度バランスを調整しつつ、複数の表示部全体の輝度の調整ができる電気光学装置が求められている。しかも、各表示部の輝度の調整により全体明るさの調整をすることでそれぞれの表示部間の輝度バランスが崩れることは好ましくない。従って、全体明るさの調整及びそれぞれの表示部間の輝度バランスの調整を独立して行うことができる電気光学装置が求められている。本発明は、上記課題の少なくとも一部を解決する為になされたものであり、以下の形態として実現する事が可能である。
【課題を解決するための手段】
【０００７】
上記目的を解決するため、本発明の電気光学装置は、複数の表示部と、制御部と、を備え、前記表示部のそれぞれは、複数の走査線と複数のデータ線とが交差する各交差位置に対応して配置される複数の画素を有し、前記複数の画素の各々は、走査線が選択されてから次に当該走査線が選択されるまでの期間において電源線からの所定の周期で入力する電流により発光する発光素子を有し、前記制御部は、前記期間における前記電源線から前記発光素子への電流の入力回数及び前記所定の周期毎における前記電源線から前記発光素子への電流の入力時間の一方が互いに異なる表示部において互いに連動して変化し、他方が互いに異なる表示部において互いに独立して変化するように前記表示部を制御することを特徴とする。
【０００８】
また、本発明は、複数の表示部と、制御部と、を備える電気光学装置の制御方法であって、前記表示部のそれぞれは、複数の走査線と複数のデータ線とが交差する各交差位置に対応して配置される複数の画素を有し、前記複数の画素の各々は、走査線が選択されてから次に当該走査線が選択されるまでの期間において電源線から所定の周期で入力する電流により発光する発光素子を有し、前記制御部は、前記期間における前記電源線から前記発光素子への電流の入力回数及び前記所定の周期毎における前記電源線から前記発光素子への電流の入力時間の一方が互いに異なる表示部において互いに連動して変化し、他方が互いに異なる表示部において互いに独立して変化するように前記表示部を制御することを特徴とする。
【０００９】
上記の電気光学装置および電気光学装置の制御方法では、電源線から発光素子へ入力する電流が所定の周期とされるため、発光素子は当該所定の周期のパルス電流により駆動される。そうすると上記入力回数は、所定の走査線が選択されてから次に当該走査線が選択されるまでの期間におけるパルス電流のパルス数であり、上記入力時間はパルス電流のパルス幅となる。このパルス幅は時間的な幅である。本発明の電気光学装置および電気光学装置の制御方法では、それぞれの表示部において、上記パルス数及びパルス幅の一方を互いに連動して変化させることで、それぞれの表示部の輝度を連動して変化させることができる。つまり、各表示部を同時に明るくし或いは暗くすることができ、電気光学装置の全体明るさを調整することができる。また、それぞれの表示部において、上記パルス数及びパルス幅の他方を独立して変化させることで、各表示部の輝度を個別に変化させることができ、複数の表示部間における輝度バランスを調整することができる。しかも、パルス数とパルス幅とを互いに独立して変化させることができる。従って、複数の表示部を備える本発明の電気光学装置によれば全体明るさの調整及びそれぞれの表示部間の輝度バランスの調整を独立して行うことができる。
【００１０】
また、上記電気光学装置において、前記表示部は一対とされ、一方の表示部は人の一方の眼で視認され、他方の表示部は人の他方の眼で視認されるよう構成されても良い。
【００１１】
この場合、電気光学装置を、例えば、ヘッドマウントディスプレイに適用することができる。この場合ヘッドマウントディプレイの左右の輝度バランスの調整、及び、全体明るさ調整をそれぞれ独立して行うことができる。
【００１２】
また、上記電気光学装置において、前記表示部は互いに異なる色の光を発光し、それぞれの前記表示部から出射する光が互いに重ね合わされるよう構成されても良い。
【００１３】
この場合、例えば、赤の光を出射する表示部と、青の光を出射する表示部と、緑の光を出射する表示部とすれば、電気光学装置はカラーの表示をすることができる。しかも、カラー表示の全体明るさを調整することができ、それぞれの表示部の輝度バランスを調整することで、重ね合わされた光のホワイトバランスを調整することができる。このような電気光学装置としては、例えば、プロジェクタを挙げることができる。
【００１４】
また、上記電気光学装置において、制御部は、互いに異なる表示部において、前記期間における前記電源線から前記発光素子への電流の入力回数が互い連動して変化し、前記所定の周期毎における前記電源線から前記発光素子への電流の入力時間が互いに独立して変化するように前記表示部を制御するよう構成されても良い。
【００１５】
この電気光学装置では、電気光学装置の全体明るさの調整が上記パルス数の変化により行われ、各表示部の輝度バランスの調整が上記パルス幅の変化により行われる。パルス幅が非常に小さい場合、高い周波数による制御が必要となり画素回路の早い反応速度や制御部の早い処理速度が求められ、画素回路や制御部へかかる負荷が大きくなる傾向がある。従って、パスル幅はあまり大きく変化しない方が好ましい。一方、パルス数が大きく変化する場合であっても、画素回路や制御部への負荷は殆ど変化しない。また、表示部間の輝度バランスの調整のために表示部の輝度を変化させる際、当該輝度の変化は一般的に然程大きくないが、全体明るさの調整のために表示部の輝度を大きく変化させることは一般的である。従って、この電気光学装置によれば、全体明るさを大きく変化させる場合であっても、回路部や制御部への負荷が大きくなることを抑制することができる。
【００１６】
また、上記電気光学装置において、前記所定の周期は、それぞれの走査線が順次選択される周期とされる構成とされても良い。
【００１７】
発光素子がパルス電流により駆動される所定の周期が、それぞれの走査線が順次選択される周期とされることで、制御部は、当該所定の周期を管理する際、走査線が順次選択される周期を用いることができる。従って、この電気光学装置によれば、制御部の負荷を軽減することができる。
【図面の簡単な説明】
【００１８】
【図１】本発明の第１実施形態に係る電気光学装置を示す概略図である。
【図２】図１の画素の構成の一例を模式的に示す図である。
【図３】所定の画素に印加される信号の様子を模式的に示す図である。
【図４】全体明るさの調整がされる場合に、全ての表示部における各画素に印加される信号の変化の様子を模式的に示す図である。
【図５】輝度バランスが調整される場合に、輝度が変化される表示部の各画素に印加される信号の変化の様子を模式的に示す図である。
【図６】本発明に係る電気光学装置がヘッドマウントディスプレイに適用された様子を示す概略図である。
【図７】本発明に係る電気光学装置がプロジェクタに適用された様子を示す概略図である。
【図８】本発明に係る電気光学装置が車両表示装置に適用された様子を示す概略図である。
【図９】第１実施形態の各表示部の各画素アレイが並べられた例を示す概略図である。
【発明を実施するための形態】
【００１９】
以下、本発明に係る電気光学装置、及び、電気光学装置の制御方法の好適な実施形態について図面を参照しながら詳細に説明する。なお、以下に例示する実施形態は、本発明の理解を容易にするためのものであり、本発明を限定して解釈するためのものではない。本発明は、その趣旨を逸脱することなく、変更、改良することができる。また、以下の説明において、「接続」という場合には、電気的に接続される意味を含む場合がある。
【００２０】
（第１実施形態）
図１は、本発明の第１実施形態に係る電気光学装置を示す概略図である。図１に示すように、本実施形態の電気光学装置１は、複数の表示部ＤＩ１，ＤＩ２，・・・，ＤＩｎと、それぞれの表示部ＤＩ１〜ＤＩｎを制御する制御部ＣＰと、輝度バランス調整入力部５１と、全体明るさ調整入力部５２と、電源回路ＤＣと、を備える。なお、電気光学装置１は少なくとも２つの表示部を備えている限りにおいて、その数は特に限定されない。
【００２１】
本実施形態では、それぞれの表示部ＤＩ１〜ＤＩｎは互いに同様の構成とされ、複数の画素Ｐがマトリックス上に配置される画素アレイＰＡと制御線駆動回路１０とデータ線駆動回路２０とを備える。
【００２２】
画素アレイＰＡは、概ね水平方向に延在する複数の走査線である複数の第１制御線ＳＬ１と、第１制御線ＳＬ１と対をなし概ね水平方向に延在する複数の発光制御線である複数の第２制御線ＳＬ２と、概ね垂直方向に延在する複数のデータ線ＤＬとを備える。各第１制御線ＳＬ１及び各第２制御線ＳＬ２は制御線駆動回路１０に接続されており、各データ線ＤＬはデータ線駆動回路２０に接続されている。また、各データ線ＤＬは、各第１制御線ＳＬ１と交差し、走査線であるそれぞれの第１制御線ＳＬ１と、それぞれのデータ線ＤＬとが交差する各位置に対応して各画素Ｐが配置されている。こうして、各画素Ｐはマトリックス状すなわち縦横の格子状に規則正しく配置され、各画素アレイＰＡは複数の画素行及び複数の画素列を有する。各画素アレイＰＡが有する画素行の数は、例えば７２０とされるが特に限定されない。また、電源回路ＤＣからは、電源線ＶＬが延在しており、各電源線ＶＬは各画素Ｐに接続されている。こうして電源回路ＤＣは電源線ＶＬを介してそれぞれの画素Ｐに電力を供給している。
【００２３】
なお、特に図示しないが、各画素Ｐは、例えば、赤（Ｒ）、青（Ｂ）、および緑（Ｇ）の３原色に対応する複数のサブ画素により構成されていても良い。この場合、赤、青、緑が例えば水平方向に順に規則正しく並んで、各表示部ＤＩ１〜ＤＩｎにおいてカラー表示が可能とされる。また例えば、各画素Ｐは、それぞれの画素アレイＰＡ内において単色とされても良い。この場合、各表示部ＤＩ１〜ＤＩｎにおいて同色の色が表示されても良く、また、各表示部ＤＩ１〜ＤＩｎが異なる構成となるが、各表示部ＤＩ１〜ＤＩｎにおいて互いに異なる色が表示されても良い。
【００２４】
制御部ＣＰは、各表示部ＤＩ１〜ＤＩｎを制御する。具体的には、制御部ＣＰは、制御信号を生成し出力することにより、それぞれの表示部ＤＩ１〜ＤＩｎにおける制御線駆動回路１０とデータ線駆動回路２０とが互いに連動して動作するように、各表示部ＤＩ１〜ＤＩｎ内の制御線駆動回路１０及びデータ線駆動回路２０を制御する。
【００２５】
制御線駆動回路１０は、シフトレジスタ、出力回路等を主体に構成されており、それぞれの第１制御線ＳＬ１に書込み信号を印加すると共に、第２制御線ＳＬ２に発光制御信号を印加する。具体的には、制御線駆動回路１０は、制御部ＣＰからの制御信号に基づいて、第１制御線ＳＬ１を順次にタイミングをずらして選択し、選択した第１制御線ＳＬ１に書込み信号を印加する。このような線順次走査により、１垂直走査期間において、１水平ライン分の画素群に相当する画素行が１度ずつ順番に選択されていく。また、制御線駆動回路１０は、制御部ＣＰからの制御信号に基づいて、第１制御線ＳＬ１が選択されていない状態で、当該第１制御線ＳＬ１と同じ画素行の各画素Ｐに接続される第２制御線ＳＬ２に所定の周期で所定のパルス幅の電圧が所定回数繰り返される発光制御信号を印加する。
【００２６】
データ線駆動回路２０は、シフトレジスタ、ラインラッチ回路、出力回路等を主体に構成されており、データ線駆動回路２０に接続されるデータ線ＤＬに個別に印加される電圧のデータ信号を生成し、制御部ＣＰからの制御信号に基づいて、生成したデータ信号を各データ線ＤＬに印加する。具体的には、データ線駆動回路２０は、外部から入力される映像信号に基づき各画素Ｐの表示階調に相当するデータ信号を生成する。そして、制御線駆動回路１０により、所定の第１制御線ＳＬ１が選択されると、選択された第１制御線ＳＬ１が接続されるそれぞれの画素Ｐの表示階調に相当するデータ信号を出力し、次の第１制御線ＳＬ１が選択されると、選択された第１制御線ＳＬ１が接続されるそれぞれの画素Ｐの表示階調に相当するデータ信号を出力する。
【００２７】
なお、データ線駆動回路２０、制御線駆動回路１０による各信号の印加の詳細は、後述される。
【００２８】
輝度バランス調整入力部５１は、それぞれの表示部ＤＩ１〜ＤＩｎのうち、特定の表示部の輝度を調整することで、各表示部間の輝度のバランスを調整するための信号を制御部ＣＰに入力するインターフェースである。本実施形態の輝度バランス調整入力部５１は、表示部選択部５１ｓと、輝度調整入力部５１ａとを有する。表示部選択部５１ｓは、表示部ＤＩ１〜ＤＩｎのうち輝度を調整する表示部を選択するインターフェースであり、輝度調整入力部５１ａは、選択した表示部の輝度を他の表示部に対して相対的に上げる又は下げる命令を入力するインターフェースである。
【００２９】
全体明るさ調整入力部５２は、全ての表示部ＤＩ１〜ＤＩｎの輝度を上げる又は下げる命令を入力するインターフェースである。
【００３０】
図２は、各画素アレイＰＡにおける各画素Ｐの構成の一例を模式的に示す図である。それぞれの画素Ｐは、第１トランジスタＴｒ１と第２トランジスタＴｒ２と第３トランジスタＴｒ３と容量素子Ｃｅとを含む画素回路ＣＩ、及び、発光素子Ｌｅを備える。画素回路は、電源線ＶＬから発光素子Ｌｅへ入力する電流のレベルを、データ線ＤＬから入力するデータ信号に応じて設定する機能を有する。例えば、第２トランジスタＴｒ２のゲートにデータ信号が入力され、当該電流を第２トランジスタＴｒ２のゲート電圧に応じて設定する。
【００３１】
第１トランジスタＴｒ１、第２トランジスタＴｒ２、及び、第３トランジスタＴｒ３は、それぞれＮチャネルトランジスタであり、例えば、シリコン基板上に設けられる単結晶トランジスタや、ＴＦＴ（Thin-Film Transistor）により形成されている。なお、トランジスタの種類は特に限定されない。また、発光素子Ｌｅは、例えば、有機ＥＬ素子等の電流駆動型の発光素子とされる。また、容量素子Ｃｅは、薄膜状のコンデンサにより形成されても良く、第２トランジスタＴｒ２のゲート容量等により形成されても良い。
【００３２】
第１トランジスタＴｒ１は書込み用のトランジスタであり、ゲートは第１制御線ＳＬ１に接続され、ソース及びドレインの一方はデータ線ＤＬに接続され、ソース及びドレインの他方は第２トランジスタＴｒ２のゲートに接続されている。第２トランジスタＴｒ２は階調制御用のトランジスタであり、ソース及びドレインの一方は電源線ＶＬに接続され、ソース及びドレインの他方は第３トランジスタＴｒ３のソース及びドレインの一方に接続されている。第３トランジスタＴｒ３は発光制御用のトランジスタであり、ゲートは第２制御線ＳＬ２に接続され、ソース及びドレインの他方は発光素子Ｌｅのアノードに接続されている。また、発光素子Ｌｅのカソードはグランド電位等の所定の電位となる部位に接続される。また、容量素子Ｃｅの一方の極は第１トランジスタＴｒ１のソース及びドレインの他方と第２トランジスタＴｒ２のゲートとに接続され、容量素子Ｃｅの他方の極は、第２トランジスタＴｒ２のソース及びドレインの他方と第３トランジスタＴｒ３のソース及びドレインの一方に接続される。
【００３３】
次に、表示部ＤＩ１〜ＤＩｎにおける各画素Ｐの発光について説明する。
【００３４】
図３は、所定の画素に印加される書込み信号、データ信号、発光制御信号の様子を模式的に示す図である。
【００３５】
各表示部ＤＩ１〜ＤＩｎにおいて、１水平走査期間（１Ｈ期間）毎に第１制御線ＳＬ１が順次選択され、１垂直走査期間（１Ｖ期間）内に各第１制御線ＳＬ１が一度ずつ選択されるように、制御部ＣＰは各表示部ＤＩ１〜ＤＩｎの制御線駆動回路１０を制御する。１垂直走査期間は、例えば１／６０秒とされる。例えば、上記のように画素アレイＰＡの画素行数（走査線数）が７２０本とされ、１垂直走査期間が１／６０秒とされる場合、１水平走査期間は、概ね２０μ秒とされる。本実施形態では、所定の第１制御線ＳＬ１が選択される期間（書込み期間）において、制御線駆動回路１０は、当該所定の第１制御線ＳＬ１に書込み信号を印加する。本実施形態では、第１制御線ＳＬ１にＨレベルが印加されることで、書込み信号が印加される。また、本実施形態では、１つの第１制御線ＳＬ１が選択される期間は、概ね１水平走査期間に等しくされる。
【００３６】
所定の第１制御線ＳＬ１が選択される期間は、当該第１制御線ＳＬ１に接続される各画素Ｐの書込み期間であり、この期間において、これらの画素Ｐでは、第１制御線ＳＬ１に印加される電圧がＨレベルとされることにより第１トランジスタＴｒ１のゲート電圧が上昇する。このゲート電圧の上昇により、第１トランジスタＴｒ１は、オン状態、すなわち第１トランジスタＴｒ１のドレイン−ソース間に電流が流れる状態とされる。従って、データ線駆動回路２０からデータ線ＤＬを介して印加されるデータ信号の電圧が第２トランジスタＴｒ２のゲート及び容量素子Ｃｅに印加される。この電圧により、容量素子Ｃｅは充電され、データ信号に基づく電圧を保持する。また、第２トランジスタＴｒ２のゲート電圧がデータ信号の電圧により上昇すると、第２トランジスタＴｒ２は、オン状態、すなわちドレイン−ソース間に電流が流れる状態となる。このとき第２トランジスタＴｒ２のドレイン−ソース間に流れ得る電流の強度は、第２トランジスタＴｒ２のゲート電圧に基づく。従って、第２トランジスタＴｒ２のドレイン−ソース間に流れ得る電流の強度は、データ線ＤＬに印加されるデータ信号の電圧に基づく。
【００３７】
しかし、書き込み期間においては、制御線駆動回路１０が第２制御線ＳＬ２にＬレベルを印加するよう、制御部ＣＰは制御線駆動回路１０を制御する。従って、第３トランジスタＴｒ３のゲート電圧はＬレベルとされ、第３トランジスタＴｒ３はオフ状態、すなわちドレイン−ソース間の電流の流れが抑制される状態とされる。したがって、電源線ＶＬからの発光素子Ｌｅへの電流入力が抑制される。このため、上記のように第２トランジスタＴｒ２のドレイン−ソース間に電流が流れ得る状態とされても、電源線ＶＬから発光素子Ｌｅへの電流経路は遮断され、電源線ＶＬからの電流が発光素子Ｌｅのアノード−カソード間に流れることは抑制される。つまり、書き込み期間において、発光素子Ｌｅは非発光とされる。
【００３８】
次に、上記所定の第１制御線ＳＬ１が選択されてから概ね１水平走査期間が経過すると、当該第１制御線ＳＬ１の選択期間が終了し、制御線駆動回路１０が当該第１制御線ＳＬ１の電圧をＬレベルとするように、制御部ＣＰは制御線駆動回路１０を制御する。従って、第１トランジスタＴｒ１のゲート電圧が下降し、第１トランジスタＴｒ１は、ドレイン−ソース間の電流の流れが抑制されるオフ状態となる。このため、第２トランジスタＴｒ２のゲート及び容量素子Ｃｅの一方の極はフローティング状態とされ、第２トランジスタＴｒ２のゲート電圧は、データ信号の電圧に基づいた電圧に概ね保たれる。なお、この第１制御線ＳＬ１は、１垂直走査期間に一度選択されるため、次に当該第１制御線ＳＬ１が選択されるまで、当該第１制御線ＳＬ１の電圧がＬレベルとなるよう、制御部ＣＰは制御線駆動回路１０を制御する。
【００３９】
上記第１制御線ＳＬ１が選択される期間が終了してから、暫くの期間、第２制御線ＳＬ２の電圧がＬレベルのまま維持されるよう、制御部ＣＰは制御線駆動回路１０を制御する。この期間は、例えば２〜３水平走査期間とされる。ただし、本実施形態のように第１制御線ＳＬ１の選択期間が終了してから第２制御線ＳＬ２の電圧がＬレベルのまま維持される期間は必須ではない。
【００４０】
次に、上記第１制御線ＳＬ１の選択期間が終了してから上記期間が経過の後、制御線駆動回路１０が第２制御線ＳＬ２に所定の周期で所定のパルス幅の発光制御信号となる電圧を第２制御線ＳＬ２に印加するよう、制御部ＣＰは制御線駆動回路１０を制御する。本実施形態では、図３に示すように発光制御信号の当該所定の周期は、それぞれの第１制御線ＳＬ１が順次選択される周期とされ、各水平走査期間に同期している。従って、発光制御信号の電圧がＨレベルの状態であるパルスの幅は、１水平走査期間よりも短くされる。
【００４１】
第２制御線ＳＬ２に印加される電圧がＨレベルとされることに伴い、第３トランジスタＴｒ３のゲート電圧が上昇し、第３トランジスタＴｒ３は、オン状態、すなわちドレイン−ソース間に電流が流れる状態となる。第３トランジスタＴｒ３がオン状態になると、電源線ＶＬから発光素子Ｌｅへの電流経路が導通し、電源線ＶＬからの電流が発光素子Ｌｅに入力して当該電流がアノード−カソード間に流れる。従って、上記のように第２制御線ＳＬ２に所定の周期のパルス状の電圧が印加されることで、第３トランジスタＴｒ３は当該所定の周期でオン状態とオフ状態とを繰り返し、電源線ＶＬから発光素子Ｌｅへの電流経路の導通と遮断とが当該所定の周期で切り換えられる。こうして、第３トランジスタＴｒ３のオン状態に同期して、発光素子Ｌｅには電源線ＶＬからの電流が所定の周期で入力し、発光素子Ｌｅは所定の周期で発光する。したがって、第２制御線の電圧による第３トランジスタＴｒ３の制御により、電源線ＶＬからの電流の入力回数及び入力時間を調整している。このとき、上記のようにデータ線に印加される電圧に基づいて第２トランジスタＴｒ２のドレイン−ソース間に流れ得る電流の強度が定まるため、データ信号の電圧に基づいて、発光素子Ｌｅが発光する際の輝度が定まり、発光素子Ｌｅの階調制御がなされる。
【００４２】
なお、本実施形態では、発光素子Ｌｅは上記のように有機ＥＬ素子等の電流駆動型の発光素子であるため、液晶等と比べて早い反応性能を有する。従って、上記のように１水平走査期間が概ね２０μ秒という短い期間とされる場合であっても、発光素子Ｌｅは第３トランジスタＴｒ３のオン／オフに同期して発光／消光することができる。
【００４３】
そして、画素Ｐが接続される第１制御線ＳＬ１が次に選択される期間よりも前の所定の水平走査期間になると、制御部ＣＰは制御線駆動回路１０を制御して、この画素Ｐが接続される第２制御線ＳＬ２にパルス状の電圧を加えるのを停止する。従って、当該パルス状の電圧が当該第３トランジスタＴｒ３に印加されなくなり、第３トランジスタＴｒ３に印加される電圧はＬレベルとされる。
【００４４】
なお、本実施形態では、１垂直走査期間において、各第２制御線ＳＬ２に印加されるパルス数及びパルス幅は１表示部内において同じとされる。このパルス幅は時間的な幅であり、上記所定の周期毎の電源線ＶＬから発光素子Ｌｅへの電流経路の導通時間、すなわち発光素子Ｌｅへの電流の入力時間に相当する。従って、同一の画素アレイＰＡ内に位置する各発光素子Ｌｅが１垂直走査期間内で周期的に発光する回数は互いに同じとされ、また、同一の画素アレイＰＡ内に位置する各発光素子Ｌｅが上記所定の周期あたりに発光する発光時間も互いに同じとされる。
【００４５】
次に、本実施形態の電気光学装置１における全体明るさの調整について説明する。
【００４６】
電気光学装置１において、全体明るさの調整を行う場合、各表示部ＤＩ１〜ＤＩｎの輝度を連動して変化させる。この場合、ユーザーは、全体明るさ調整入力部５２を操作する。具体的に、ユーザーは、各表示部ＤＩ１〜ＤＩｎの輝度を上げる命令を入力するか下げる命令を入力する。ユーザーが全体明るさ調整入力部５２に命令を入力すると、当該命令に基づく情報が制御部ＣＰに入力する。
【００４７】
すると制御部ＣＰは、全ての表示部ＤＩ１〜ＤＩｎの制御線駆動回路１０を制御する。図４は、全体明るさの調整がされる場合に、全ての表示部ＤＩ１〜ＤＩｎにおける各画素に印加される信号の変化の様子を図３に対応させて模式的に示す図である。
【００４８】
ユーザーが全体明るさを上げる命令を全体明るさ調整入力部５２に入力する場合、各表示部ＤＩ１〜ＤＩｎの制御線駆動回路１０が各第２制御線ＳＬ２に印加するパルス状の発光制御信号の１垂直走査期間あたりのパルス数を増やすよう、制御部ＣＰは各制御線駆動回路１０を制御する。すると、図４において輝度ＵＰと示されるように、当該制御前のパルスに加えて、所定のパルスの分だけ、各表示部ＤＩ１〜ＤＩｎの各制御線駆動回路１０は、１垂直走査期間あたりのパルス数を増やす。このとき、増えるパルスのパルス幅は、他のパルスのパルス幅と同様とされる。このように発光制御信号のパルス数が多くなることで、第３トランジスタＴｒ３がオンとされる回数が増え、電源線ＶＬから発光素子Ｌｅへの電流経路の導通回数が増える。従って、１垂直走査期間あたりの発光素子Ｌｅへの電流の入力回数が増えて、発光素子Ｌｅの発光回数が増える。このため、各表示部ＤＩ１〜ＤＩｎにおける１垂直走査期間における各発光素子Ｌｅの発光時間の合計が長くなり、各表示部ＤＩ１〜ＤＩｎの平均輝度が上がる。こうして各表示部ＤＩ１〜ＤＩｎ全体の輝度が上がる。
【００４９】
また、ユーザーが全体明るさを下げる命令を全体明るさ調整入力部５２に入力する場合、各表示部ＤＩ１〜ＤＩｎの制御線駆動回路１０が各第２制御線ＳＬ２に印加するパルス状の発光制御信号の１垂直走査期間あたりのパルス数を減らすよう、制御部ＣＰは各制御線駆動回路１０を制御する。すると、図４において輝度ＤＯＷＮと示されるように、制御前のパルスから所定のパルス分だけ、各表示部ＤＩ１〜ＤＩｎの各制御線駆動回路１０は、１垂直走査期間あたりのパルス数を減らす。このように発光制御信号のパルス数が少なくなることで、第３トランジスタＴｒ３がオンとされる回数が減り、電源線ＶＬから発光素子Ｌｅへの電流経路の導通回数が減る。従って、１垂直走査期間あたりの発光素子Ｌｅへの電流の入力回数が減って、発光素子Ｌｅの発光回数が減る。このため、各表示部ＤＩ１〜ＤＩｎにおける１垂直走査期間における各発光素子Ｌｅの発光時間の合計が短くなり、各表示部ＤＩ１〜ＤＩｎの平均輝度が下がる。こうして各表示部ＤＩ１〜ＤＩｎ全体の輝度が下がる。
【００５０】
このように、本実施形態の電気光学装置１では、全体明るさを調整する場合、互いに異なる表示部において、所定の第１制御線ＳＬ１が選択されてから次に当該第１制御線ＳＬ１が選択されるまでの期間における上記電流経路の導通回数が互いに連動して変化することで、全体明るさが調整される。従って、１垂直走査期間あたりの発光素子Ｌｅへの電流の入力回数が互いに連動して変化することで、全体明るさが調整される。
【００５１】
次に、本実施形態の電気光学装置１において、各表示部ＤＩ１〜ＤＩｎにおける輝度バランスの調整について説明する。
【００５２】
電気光学装置１において、輝度バランスを調整する場合、各表示部ＤＩ１〜ＤＩｎの輝度を個別に独立して変化させる。この場合、まず、他の表示部に対して相対的に輝度が変化される表示部をユーザーが選択する。その場合、ユーザーは、輝度バランス調整入力部５１の表示部選択部５１ｓから輝度を変化させたい表示部を選択する。すると表示部選択部５１ｓからの選択情報が制御部ＣＰに入力し、制御部ＣＰは当該選択情報を記憶する。
【００５３】
次にユーザーは、輝度調整入力部５１ａを操作する。具体的に、ユーザーは、表示部選択部５１ｓで選択した表示部の輝度を他の表示部の輝度に対して相対的に上げる命令か下げる命令を輝度調整入力部５１ａから入力する。ユーザーが輝度調整入力部５１ａに命令を入力すると、当該命令に基づく情報が制御部ＣＰに入力する。
【００５４】
すると制御部ＣＰは、記憶している選択情報に基づく表示部の制御線駆動回路１０を制御する。図５は、輝度バランスが調整される場合に、輝度が変化される表示部の各画素に印加される信号の変化の様子を図３に対応させて模式的に示す図である。
【００５５】
ユーザーが選択した表示部の輝度を他の表示部の輝度に対して相対的に上げる命令を輝度調整入力部５１ａに入力する場合、当該表示部の制御線駆動回路１０が各第２制御線ＳＬ２に印加する発光制御信号のパルス幅を大きくするよう、制御部ＣＰは制御線駆動回路１０を制御する。従って、図５において輝度ＵＰと示されるように、制御線駆動回路１０は、各水平期間における各第２制御線ＳＬ２に印加する電圧がＨレベルとされる期間を長くする。このとき、本実施形態では、発光制御信号の各パルス状の電圧の立ち上がりのタイミングを早めることでパルス幅を大きくしている。このように発光制御信号のパルス幅が大きくされることで、第３トランジスタＴｒ３がオンとされる時間が長くなり、電源線ＶＬから発光素子Ｌｅへの電流経路の導通時間が長くなる。従って、各水平期間における発光素子Ｌｅへの電流の入力時間が長くなって、発光素子Ｌｅの発光時間が長くなる。このため、１垂直走査期間における各発光素子Ｌｅの発光時間が長くなり、選択された表示部の平均輝度が上がる。
【００５６】
また、ユーザーが選択した表示部の輝度を他の表示部の輝度に対して相対的に下げる命令を輝度調整入力部５１ａに入力する場合、当該表示部の制御線駆動回路１０が各第２制御線ＳＬ２に印加する発光制御信号のパルス幅を小さくするよう、制御部ＣＰは制御線駆動回路１０を制御する。従って、図５において輝度ＤＯＷＮと示されるように、制御線駆動回路１０は、発光制御信号の電圧がＨレベルとされる期間を短くする。このとき、本実施形態では、発光制御信号の各パルスの立ち上がりのタイミングを遅くすることでパルス幅を小さくしている。このように発光制御信号のパルス幅が小さくされることで、各周期において、第３トランジスタＴｒ３がオンとされる時間が短くなり、電源線ＶＬから発光素子Ｌｅへの電流経路の導通時間が短くなる。従って、各水平期間における発光素子Ｌｅへの電流の入力時間が短くなって、発光素子Ｌｅの発光時間が短くなる。このため、１垂直走査期間における各発光素子Ｌｅの合計の発光時間が短くなり、選択された表示部の平均輝度が下がる。
【００５７】
このように、本実施形態の電気光学装置１では、輝度バランスを調整する場合、互いに異なる表示部において、所定の周期毎の電流経路の導通時間が互いに独立して変化するように制御部ＣＰが選択された表示部を制御する。こうして、選択された表示部における所定の周期でパルス状に光る各発光素子Ｌｅの各周期における発光時間が変化し、輝度バランスが調整される。
【００５８】
＜小括＞
以上説明したように、本実施形態の電気光学装置１によれば、上記のように、所定の第１制御線ＳＬ１が選択されてから次に当該第１制御線ＳＬ１が選択されるまでの期間における電流経路の導通回数を変化させることで、当該期間における電源線ＶＬから発光素子Ｌｅへの電流の入力回数を変化させて全体明るさが調整される。また、所定の周期毎の電流経路の導通時間を変化させることで、当該所定の周期毎における電源線ＶＬから発光素子Ｌｅへの電流の入力時間を変化させて輝度バランスが調整される。この所定の周期毎の電流経路の導通時間と、所定の第１制御線ＳＬ１が選択されてから次に当該第１制御線ＳＬ１が選択されるまでの期間における電流経路の導通回数とは、互いに独立して調整することができる。すなわち、制御部ＣＰは、当該期間における電源線ＶＬから発光素子Ｌｅへの電流の入力回数と、当該所定の周期毎における電源線ＶＬから発光素子Ｌｅへの電流の入力時間とを独立して調整することができる。従って本実施形態の電気光学装置１によれば全体明るさの調整及びそれぞれの表示部間の輝度バランスの調整を独立して行うことができる。
【００５９】
なお、本実施形態では、制御部ＣＰは、上記のように、互いに異なる表示部において、所定の第１制御線ＳＬ１が選択されてから次に当該第１制御線ＳＬ１が選択されるまでの期間における電流経路の導通回数が互い連動して変化し、所定の周期毎の電流経路の導通時間が互いに独立して変化するように表示部ＤＩ１〜ＤＩｎを制御するものとした。すなわち、互いに異なる表示部において、当該期間における電源線ＶＬから発光素子Ｌｅへの電流の入力回数が互い連動して変化し、当該所定の周期毎の電源線ＶＬから発光素子Ｌｅへの電流の入力時間が互いに独立して変化するように表示部ＤＩ１〜ＤＩｎを制御するものとした。しかし、本発明では、制御部ＣＰは、互いに異なる表示部において、所定の第１制御線ＳＬ１が選択されてから次に当該第１制御線ＳＬ１が選択されるまでの期間における電流経路の導通回数が互い独立して変化し、所定の周期毎の電流経路の導通時間が互いに連動して変化するように表示部ＤＩ１〜ＤＩｎを制御するものとしても良い。この場合、所定の第１制御線ＳＬ１が選択されてから次に当該第１制御線ＳＬ１が選択されるまでの期間における電流経路の導通回数を変化させることで、電源線ＶＬから発光素子Ｌｅへの電流の入力回数を変化させて輝度バランスが調整され、所定の周期毎の電流経路の導通時間を変化させることで、電源線ＶＬから発光素子Ｌｅへの電流の入力時間を変化させて全体明るさが調整される。
【００６０】
しかし、この場合、全体明るさを暗くする場合に、上記パルス幅が非常に小さくなることがある。パルス幅が非常に小さくなる場合、高い周波数による制御が必要となり画素回路ＣＩの早い反応速度や制御部ＣＰの早い処理速度が求められ、画素回路ＣＩや制御部ＣＰへかかる負荷が大きくなる傾向がある。一方、パルス数が大きく変化する場合であっても、画素回路ＣＩや制御部ＣＰへの負荷は殆ど変化しない。また、一般的に表示部間の輝度バランスの調整のために表示部の輝度を大きく変化させることは稀であるが、全体明るさの調整のために表示部ＤＩ１〜ＤＩｎの輝度を大きく変化させることは一般的である。従って、上記実施形態のように、制御部ＣＰは、互いに異なる表示部において、所定の第１制御線ＳＬ１が選択されてから次に当該第１制御線ＳＬ１が選択されるまでの期間における電流経路の導通回数が互い連動して変化し、所定の周期毎の電流経路の導通時間が互いに独立して変化するように表示部ＤＩ１〜ＤＩｎを制御することが好ましい。
【００６１】
また、上記実施形態では、発光駆動信号が第２制御線ＳＬ２に印加される所定の周期がそれぞれの第１制御線ＳＬ１が順次選択される周期とされたが、当該所定の周期と第１制御線ＳＬ１が順次選択される周期とが異なる周期であっても良い。しかし、発光駆動信号が第２制御線ＳＬ２に印加される所定の周期が、それぞれの第１制御線ＳＬ１が順次選択される周期とされることで、制御部ＣＰは、当該所定の周期を管理する際、第１制御線ＳＬ１が順次選択される周期を用いることができ、制御部ＣＰの負荷を軽減することができるため好ましい。
【００６２】
（第２実施形態）
次に、本発明の第２実施形態について図６を参照して詳細に説明する。なお、第１実施形態と同一又は同等の構成要素については、特に説明する場合を除き、同一の参照符号を付して重複する説明を省略する。
【００６３】
図６は、本発明に係る電気光学装置がヘッドマウントディスプレイに適用された様子を示す概略図である。図６に示すように、本実施形態のヘッドマウントディスプレイ２００は、ユーザーの頭部の前方に位置するフロントフレーム２１０と、フロントフレーム２１０の両端に接続され頭部の両側方に位置する一対のサイドフレーム２２０と、フロントフレーム２１０に固定され眼前を覆う光学パネル２５０と、それぞれのサイドフレーム２２０に固定される回路カバー２３０と、電気光学装置２と、を備える。
【００６４】
本実施形態の電気光学装置２は、表示部の数が２つとされること以外は、第１実施形態の電気光学装置と同じ構成とされる。一対の表示部ＤＩ１，ＤＩ２は、光学パネル２５０内に配置され、表示部ＤＩ１が左眼の眼前に配置され、表示部ＤＩ２が右眼の眼前に配置される。これらの表示部ＤＩ１，ＤＩ２から出射する光は光学パネル２５０から出射される構成とされ、一方の表示部ＤＩ１はユーザーの左眼で視認され、他方の表示部ＤＩ２はユーザーの右眼で視認される。
【００６５】
また、本実施形態のヘッドマウントディスプレイ２００では、一方のサイドフレーム２２０に輝度バランス調整入力部５１が操作可能に設けられており、他方のサイドフレーム２２０に全体明るさ調整入力部５２が操作可能に設けられている。また、本実施形態のヘッドマウントディスプレイ２００では、一方のサイドフレーム２２０に固定される回路カバー２３０内に制御部ＣＰが配置され、他方のサイドフレーム２２０に固定される回路カバー２３０内に電源回路ＤＣが配置される。ただし、これらの配置は適宜変更可能である。
【００６６】
一般的にヘッドマウントディスプレイにおいては、ユーザーにより視認される画像の明るさを変更したいという要求がある。このような要求に対して、本実施形態のヘッドマウントディスプレイ２００によれば、電気光学装置２の全体明るさを第１実施形態の説明と同様に変更することで、画像の明るさを変更することができる。また、表示部ＤＩ１、ＤＩ２が一対とされ、一方の表示部ＤＩ１が人の一方の眼から視認され、他方の表示部ＤＩ２が人の他方の眼から視認される場合、それぞれの表示部ＤＩ１，ＤＩ２の輝度が異なるとユーザーが違和感を覚える傾向にあり、左右の表示部ＤＩ１，ＤＩ２の輝度の調整を行いたいという要求がある。このような要求に対し、本実施形態のヘッドマウントディスプレイ２００によれば、電気光学装置２において、第１実施形態での説明と同様にして、左右の表示部ＤＩ１，ＤＩ２間の輝度バランスの調整を行うことができる。そして、上記の画像の明るさの変更と、左右の表示部ＤＩ１，ＤＩ２間の輝度バランスの調整とを独立して行うことができる。
【００６７】
（第３実施形態）
次に、本発明の第３実施形態について図７を参照して詳細に説明する。なお、第１実施形態と同一又は同等の構成要素については、特に説明する場合を除き、同一の参照符号を
付して重複する説明を省略する。
【００６８】
図７は、本発明に係る電気光学装置がプロジェクタに適用された様子を示す概略図である。図７に示すようにプロジェクタ３００は、筐体３５０と、電気光学装置３と、ダイクロイックプリズム３１０と、投影レンズ３２０とを備える。
【００６９】
本実施形態の電気光学装置３は、表示部の数が３つとされること以外は、第１実施形態の電気光学装置と同じ構成とされる。各表示部ＤＩ１，ＤＩ２，ＤＩ３は筐体３５０内に配置され、表示部ＤＩ１，ＤＩ２，ＤＩ３の各画素アレイＰＡは、単色の画素Ｐを備える。本実施形態では、表示部ＤＩ１は赤色の画像を表示し、表示部ＤＩ２は緑色の画像を表示し、表示部ＤＩ３は青色の画像を表示する。また、それぞれの表示部ＤＩ１，ＤＩ２，ＤＩ３は、互いに隣り合う表示部の光の出射方向が概ね９０度となるように配置され、本実施形態では、表示部ＤＩ１と表示部ＤＩ２とが隣り合い、表示部ＤＩ２と表示部ＤＩ３とが隣り合い、表示部ＤＩ１と表示部ＤＩ３とが対向して配置される。
【００７０】
各表示部ＤＩ１，ＤＩ２，ＤＩ３に囲まれる位置にはダイクロイックプリズム３１０が配置され、各表示部ＤＩ１，ＤＩ２，ＤＩ３とダイクロイックプリズム３１０の側面である光入射面とが対向している。また、ダイクロイックプリズム３１０の光の出射面側には投影レンズ３２０が配置され、投影レンズ３２０を介して筐体３５０の中の光が筐体３５０の外へ出射することができる。なお、投影レンズ３２０は、１枚のレンズで構成されても、複数のレンズで構成されても良い。
【００７１】
また、筐体３５０の外側には、輝度バランス調整入力部５１及び全体明るさ調整入力部５２が操作可能に設けられている。
【００７２】
このプロジェクタ３００の使用時において、表示部ＤＩ１から出射する赤色の光と、表示部ＤＩ２から出射する緑色の光と、画像表示部ＤＩ３から出射する青色の光とが互いに重ね合わされ、赤色の画像と緑色の画像と青色の画像とが重なるカラーの画像が、スクリーン３３０に映し出される。なお、このスクリーン３３０は、光透過型であっても、光反射型のスクリーンであっても良い。
【００７３】
プロジェクタ３００の使用に際し、プロジェクタ３００を使用する部屋の明るさに応じて、プロジェクタ３００から出射する光の明るさを変更したいという要求がある。この要求に対して、本実施形態のプロジェクタ３００によれば、電気光学装置３の全体明るさを第１実施形態での説明と同様にして変更することで、プロジェクタ３００から出射する光の明るさを変更することができる。また、本実施形態のプロジェクタ３００のようにカラー画像を映し出すものにおいては、ホワイトバランスを調整したいという要求がある。この要求に対し、本実施形態のプロジェクタ３００によれば、第１実施形態での説明と同様にして、電気光学装置３の３つの表示部ＤＩ１，ＤＩ２，ＤＩ３間の輝度バランスを調整することにより、赤、緑、青の輝度バランスを調整でき、ホワイトバランスを調整することができる。そして、プロジェクタ３００から出射する光の明るさの変更と、ホワイトバランスの調整とを独立して行うことができる。
【００７４】
なお、本実施形態では、表示部ＤＩ１，ＤＩ２，ＤＩ３として、上述したように赤、緑、青の特定の色のみを発光するものに限定されることなく、他の色を発光するものであっても良い。
【００７５】
また、上記実施形態では、各表示部ＤＩ１，ＤＩ２，ＤＩ３が赤、緑、青の画像を表示する場合について説明したが、それぞれの各表示部ＤＩ１，ＤＩ２，ＤＩ３が画像を表示せず、各表示部ＤＩ１，ＤＩ２，ＤＩ３が赤、緑、青の光源となっても良い。この場合、各表示部ＤＩ１，ＤＩ２，ＤＩ３の前に液晶パネル等を配置して、当該液晶パネルにより、各表示部ＤＩ１，ＤＩ２，ＤＩ３から出射する光に基づいて画像を表示しても良い。
【００７６】
（第４実施形態）
次に、本発明の第４実施形態について図８を参照して詳細に説明する。なお、第１実施形態と同一又は同等の構成要素については、特に説明する場合を除き、同一の参照符号を
付して重複する説明を省略する。
【００７７】
図８は、本発明に係る電気光学装置が車載メーターに適用された様子を示す概略図である。図８に示すように車載メーター４００は、３つの表示部ＤＩ１，ＤＩ２，ＤＩ３を有する電気光学装置４を備える。
【００７８】
本実施形態では、それぞれの表示部ＤＩ１，ＤＩ２，ＤＩ３が横並びに並べられている。具体的には、本実施形態では、それぞれの表示部ＤＩ１，ＤＩ２，ＤＩ３の画素アレイＰＡの大きさが異なり、それぞれの表示部ＤＩ１，ＤＩ２，ＤＩ３の画素アレイＰＡが横に並べられている。なお、それぞれの表示部ＤＩ１，ＤＩ２，ＤＩ３の制御線駆動回路１０及びデータ線駆動回路２０は、画素アレイＰＡの背面に位置している。
【００７９】
中央に位置する表示部ＤＩ２は、左右の表示部ＤＩ１，ＤＩ３よりも一回り大きい画素アレイのサイズとなっており、これらの３つの表示部ＤＩ１，ＤＩ２，ＤＩ３により、車両のダッシュボードの開口部４１０から露出する１つの車載メーター４００を構成している。
【００８０】
左側の表示部ＤＩ１には、例えば、燃料計、水温計などが表示され、中央の表示部ＤＩ２には、例えば、速度計や、方向指示器などが表示され、右側の表示部ＤＩ３には、例えば、回転計などが表示される。なお、図８では、アナログ表示をしている状態を示しているが、デジタル表示としても良い。
【００８１】
このような車載メーター４００では、乗員により車載メーター４００の全体明るさを変更したいという要求がある。この要求に対して、本実施形態の車載メーター４００によれば、電気光学装置４の全体明るさを第１実施形態での説明と同様にして変更することで、車載メーター４００の明るさを変更することができる。また、車載メーター４００においては、乗員に対して、重要な表示と、さほど重要ではない表示とがあり、表示の内容に応じてその明るさを変更したいという要求がある。例えば、燃料計、水温計など表示に比べて、速度計、方向指示器などの表示や回転計などの表示を明るくしたいという要求がある。或いは、全ての表示を均一な明るさにしたいという要求がある。この要求に対し、本実施形態の車載メーター４００によれば、第１実施形態での説明と同様にして、３つの表示部ＤＩ１，ＤＩ２，ＤＩ３間の輝度バランスを調整することにより、表示部ＤＩ１の輝度を表示部ＤＩ２，ＤＩ３の輝度より低くすることができ、燃料計、水温計など表示に比べて、速度計、方向指示器などの表示や回転計などの表示を相対的に明るくすることができる。
【００８２】
＜変形例＞
以上、本発明について、第１〜第４実施形態を例に説明したが、本発明はこれらに限定されるものではない。
【００８３】
例えば、各画素Ｐの構成は上記実施形態と異なっていても良く、また、画素アレイＰＡにおける画素Ｐの並びかたも上記実施形態と異なっていても良い。画素Ｐに含まれるトランジスタをＰチャネルトランジスタとして、第１制御線が選択されるときにＬレベルの電圧が印加され当該第１制御線が非選択のときにＨレベルの電圧が印加されることで書込み信号が印加される構成とすることもできる。
【００８４】
また、上記実施形態では、第３トランジスタＴｒ３が電源線ＶＬから発光素子Ｌｅへの電流経路に配置され、第３トランジスタＴｒ３のオン／オフにより、当該電流経路の導通と遮断とを切り換えて、発光素子Ｌｅへの電流の流れを切り換えた。しかし、本発明はこれに限らない。例えば、第３トランジスタＴｒ３が配置される位置はこれに限らない。この場合、例えば、第３トランジスタＴｒ３のゲートが第２制御線ＳＬ２に接続され、第３トランジスタＴｒ３のソース及びドレインの一方が上記実施形態の第１トランジスタＴｒ１のソース及びドレインの他方と容量素子の一方の極とに接続され、第３トランジスタＴｒ３のソース及びドレインの他方が接地される構成とされても良い。この場合、上記実施形態の発光素子Ｌｅのアノードと、第２トランジスタＴｒ２のソース及びドレインの他方とが接続されれば良い。このような構成の場合、第２制御線の電圧をＨレベルとして第３トランジスタＴｒ３をオンとすることで、第２トランジスタＴｒ２をオフとし、また、第２制御線の電圧をＬレベルとして第３トランジスタＴｒ３をオフとすることで、第２トランジスタＴｒ２をオンとして、上記電流経路の導通と遮断とを切り換えることができる。したがって、第２制御線の電圧による第３トランジスタＴｒ３の制御により、電源線ＶＬからの電流の入力回数及び入力時間を調整してもよい。
【００８５】
或いは、上記実施形態で第３トランジスタＴｒ３を省略すると共に、発光素子Ｌｅのアノードと、第２トランジスタＴｒ２のソース及びドレインの他方とが接続される構成とされても良い。この場合、電源回路ＤＣから電源線ＶＬに印加される電圧のＨレベル／Ｌレベルが切り換えられることで、上記電流経路の導通と遮断とを切り替えればよい。したがって、電源回路ＤＣから電源線ＶＬに印加される電圧により、電源線ＶＬからの電流の入力回数及び入力時間を調整してもよい。この場合、電源回路ＤＣが各表示部ＤＩ１〜ＤＩｎに備えられ、それぞれの電源回路ＤＣが制御部により制御されることが好ましい。電源線ＶＬにＨレベルの電圧が印加されたとき、この電圧は第２トランジスタＴｒ２及び発光素子Ｌｅで分圧され、発光素子Ｌｅに閾値電圧以上の電圧が印加される。電源線ＶＬにＬレベルの電圧が印加されたとき、発光素子Ｌｅに閾値電圧以下の電圧が印加される。電源線ＶＬにＬレベルの電圧が印加されることで、電源線ＶＬからの電流入力が停止する。
【００８６】
また、上記実施形態では、データ線からの信号により各画素Ｐにおいて階調制御がなされたが、階調制御されない構成であっても良い。
【００８７】
また、上記実施形態では、輝度バランス調整入力部５１及び全体明るさ調整入力部５２が設けられ、これらの入力部を操作することで、全体明るさ調整や輝度バランス調整を行うものとした。しかし本発明はこれに限らない。例えば、電気光学装置が周りの明るさを検知する検知手段を有し、当該検知手段の検知結果に応じて、制御部ＣＰが全体明るさ調整の制御信号をそれぞれの表示部に送付しても良い。また、第４実施形態の車載メーター４００では、例えば、ヘッドライトの照射有無を検知して、ヘッドライトの照射の有無に応じて、制御部ＣＰが全体明るさ調整の制御信号をそれぞれの表示部に送付し、車載メーター４００の全体明るさを変更しても良い。また、例えば、電気光学装置がそれぞれの表示部から出射する光の強度を検知する検知手段を有し、当該検知手段の検知結果に応じて、制御部ＣＰが輝度バランス調整の制御信号をそれぞれの表示部に送付しても良い。例えば、第２実施形態において、左右の表示部ＤＩ１，ＤＩ２から出射する光の強度を検出して、上記のように輝度バランス調整を行うことができる。
【００８８】
また、上記実施形態では、それぞれの表示部の画素アレイＰＡが重なる状態については特に言及しなかった。しかし、本発明はこれに限らず、画素アレイＰＡが重なっていても良い。この場合、それぞれの画素アレイが光を透過する構成とされることで、それぞれの表示部から出射する光を互いに重ね合わせることができ、一つの画像を形成することができる。また或いは、それぞれの画素アレイＰＡが同一面上に配置され、特定の表示部の画素アレイＰＡにおける画素Ｐ間に他の表示部の画素アレイＰＡの画素Ｐが位置しても良い。つまり、複数の表示部の画素Ｐが互いに並ぶようにして配置され、１つの表示部に見せかけることができる。この場合においても、それぞれの画素アレイＰＡから出射する光を互いに重ね合わせることができ、１つの画像を形成することができる。これらの例において、例えば、表示部の数が３つとされ、一つの表示部が赤色の画像を表示し、他の１つの表示部が緑色の画像を表示し、残りの１つの表示部が青色の画像を表示する。この場合、それぞれの表示部から出射する光が互いに重ね合わされることで、カラー表示を行うことができる。また、第３実施形態の電気光学装置３と同様にして、全体明るさの変更と、ホワイトバランスの調整を行うことができる。
【００８９】
また、第１実施形態の各表示部ＤＩ１〜ＤＩｎの各画素アレイＰＡが並べられても良い。図９は、第１実施形態の各表示部ＤＩ１〜ＤＩｎの各画素アレイＰＡが並べられた例を示す概略図である。図９に示す例では、第１実施形態の電気光学装置１の表示部が９つとされ、当該表示部ＤＩ１〜ＤＩ９の画素アレイＰＡがアレイ状に並べられている。本例では、各表示部ＤＩ１〜ＤＩ９の制御線駆動回路１０及びデータ線駆動回路２０は、画素アレイＰＡの背面に位置している。また、図９ではその記載が簡略化されているが、制御部ＣＰ及び電源回路ＤＣは、第１実施形態の電気光学装置１と同様に各表示部ＤＩ１〜ＤＩ９に接続されている。
【００９０】
このように複数の表示部ＤＩ１〜ＤＩ９がアレイ状に並べられることで、それぞれの表示部ＤＩ１〜ＤＩ９を一つの大画面の表示部として用いることができる。この電気光学装置１では、全体として１つの映像を映し出すことができるが、それぞれの表示部ＤＩ１〜ＤＩ９で同様の映像を映し出すこともできる。
【００９１】
本例のように表示部ＤＩ１〜ＤＩ９がアレイ状に並べられた電気光学装置１においても、全体明るさを変更したいという要求があり、当該要求に対しては、第１実施形態と同様にして、全体明るさの調整を行うことができる。また、このように表示部ＤＩ１〜ＤＩ９がアレイ状に並べられた電気光学装置１においては、一部の表示部の輝度が他の表示部の輝度と異なる場合に視認者が違和感を与える傾向にある。このため、本実施形態の電気光学装置１において、表示部間の輝度バランスを調整したいという要求がある。この要求に対し、本実施形態の電気光学装置１によれば、第１実施形態においての説明と同様にして、各表示部ＤＩ１〜ＤＩ９間の輝度バランスを調整することができる。
【符号の説明】
【００９２】
１〜４・・・電気光学装置、１０・・・制御線駆動回路、２０・・・データ線駆動回路、５１・・・輝度バランス調整入力部、５１ａ・・・輝度調整入力部、５１ｓ・・・表示部選択部、５２・・・全体明るさ調整入力部、２００・・・ヘッドマウントディスプレイ、３００・・・プロジェクタ、４００・・・車載メーター、ＣＩ・・・画素回路、ＣＰ・・・制御部、ＤＩ１〜ＤＩｎ・・・表示部、ＤＬ・・・データ線、Ｌｅ・・・発光素子、Ｐ・・・画素、ＰＡ・・・画素アレイ、ＳＬ１・・・第１制御線、ＳＬ２・・・第２制御線、Ｔｒ１・・・第１トランジスタ、Ｔｒ２・・・第２トランジスタ、Ｔｒ３・・・第３トランジスタ、ＶＬ・・・電源線
【図１】
0006610290.tif 000002
【図２】
0006610290.tif 000003
【図３】
0006610290.tif 000004
【図４】
0006610290.tif 000005
【図５】
0006610290.tif 000006
【図６】
0006610290.tif 000007
【図７】
0006610290.tif 000008
【図８】
0006610290.tif 000009
【図９】
0006610290.tif 000010